(57)【要約】【課題】長さの異なるフィルムについて、現像などのフィルム処理が可能な現像機または、フィルム移送装置を提供する。【解決手段】現像機は、互いに接触回転する第１、第２ローラを有する前段ローラ対を備える。互いに接触回転する第３、第４ローラを有する後段ローラ対を備える。前段ローラ対と、後段ローラ対との間に設けられ、前段ローラ対、後段ローラ対の回転力に基づいて回転し、互いに接触回転する２つの中間ローラにより構成される中間ローラ対を１組以上有する第１中間ユニットを備える。第１中間ユニットは、前段ローラ対、及び後段ローラ対から着脱可能であり、前段ローラ対と後段ローラ対との軸間距離よりも短いフィルムについて、現像、定着、水洗の少なくとも１を含むフィルム処理を行う場合に、前段ローラ対、及び後段ローラ対に取り付けられ、前段ローラ対から後段ローラ対へのフィルムの移送に使用される。【選択図】図１
2010191347.tif 000002
【特許請求の範囲】
【請求項１】
互いに接触回転する第１、第２ローラを有する前段ローラ対と、
前記前段ローラ対よりも移送方向の後段に設けられ、互いに接触回転する第３、第４ローラを有する後段ローラ対と、
前記前段ローラ対と、前記後段ローラ対との間に設けられ、前記前段ローラ対、前記後段ローラ対の回転力に基づいて回転し、互いに接触回転する２つの中間ローラにより構成される中間ローラ対を１組以上有する第１中間ユニットとを備え、
前記第１中間ユニットは、前記前段ローラ対、及び前記後段ローラ対から着脱可能であり、前記前段ローラ対と前記後段ローラ対との軸間距離よりも短いフィルムについて、現像、定着、水洗の少なくとも１を含むフィルム処理を行う場合に、前記前段ローラ対、及び前記後段ローラ対に取り付けられ、前記前段ローラ対から前記後段ローラ対へのフィルムの移送に使用されることを特徴とする現像機。
【請求項２】
前記軸間距離よりも長いフィルムについて、前記フィルム処理を行う場合に、前記第１中間ユニットが取り外され、前記前段ローラ対、前記後段ローラ対の回転力の伝達を行わないで、前記前段ローラ対から移送されたフィルムを前記後段ローラ対に誘導するガイド部を有する第２中間ユニットが使用されることを特徴とする請求項１に記載の現像機。
【請求項３】
前記第１中間ユニットは、前記第１ローラと接触回転する第１動力伝達ローラと、前記第３ローラと接触回転する第２動力伝達ローラとを有し、
前記前段ローラ対、前記後段ローラ対の回転力は、前記第１、第２動力伝達ローラを介して、前記１組以上の中間ローラ対に伝達されることを特徴とする請求項１に記載の現像機。
【請求項４】
前記第１、第２動力伝達ローラの回転軸は、前記１組以上の中間ローラ対の回転軸よりも上方に配置されることを特徴とする請求項３に記載の現像機。
【請求項５】
互いに接触回転する第１、第２ローラを有する前段ローラ対と、互いに接触回転する第３、第４ローラを有する後段ローラ対との間に設けられ、前記前段ローラ対、及び前記後段ローラ対の回転力に基づいて回転し、互いに接触回転する２つの中間ローラにより構成される中間ローラ対を１組以上備え、
前記前段ローラ対、及び前記後段ローラ対から着脱可能であり、前記前段ローラ対と前記後段ローラ対との軸間距離よりも短いフィルムについて、現像、定着、水洗の少なくとも１を含むフィルム処理を行う場合に、前記前段ローラ対、及び前記後段ローラ対に取り付けられ、前記前段ローラ対から前記後段ローラ対へのフィルムの移送に使用されることを特徴とする現像機におけるフィルム移送装置。
【発明の詳細な説明】
【技術分野】
【０００１】
本発明は、フィルムの現像機に関し、特に長さの異なるフィルムの現像が可能な現像機に関する。
【背景技術】
【０００２】
特許文献１のように、ローラを使ってフィルムを現像機内で移送させて現像を行う現像機が提案されている。かかる現像機では、前段ローラ対の回転によって、フィルムが後段ローラ対に移送され、後段ローラ対の回転によって、フィルムが隣接する処理室における前段のローラ対または外部に移送される。
【先行技術文献】
【特許文献】
【０００３】
【特許文献１】特開平０９−２７４２９９号公報
【発明の概要】
【発明が解決しようとする課題】
【０００４】
しかし、前段ローラ対と、後段ローラ対との軸間距離よりも短いフィルムは、ローラ間に落下してしまうため、使用出来ない。
【０００５】
したがって本発明の目的は、長さの異なるフィルムについて、現像などのフィルム処理が可能な現像機または、フィルム移送装置を提供することである。
【課題を解決するための手段】
【０００６】
本発明に係る現像機は、互いに接触回転する第１、第２ローラを有する前段ローラ対と、前段ローラ対よりも移送方向の後段に設けられ、互いに接触回転する第３、第４ローラを有する後段ローラ対と、前段ローラ対と、後段ローラ対との間に設けられ、前段ローラ対、後段ローラ対の回転力に基づいて回転し、互いに接触回転する２つの中間ローラにより構成される中間ローラ対を１組以上有する第１中間ユニットとを備え、第１中間ユニットは、前段ローラ対、及び後段ローラ対から着脱可能であり、前段ローラ対と後段ローラ対との軸間距離よりも短いフィルムについて、現像、定着、水洗の少なくとも１を含むフィルム処理を行う場合に、前段ローラ対、及び後段ローラ対に取り付けられ、前段ローラ対から後段ローラ対へのフィルムの移送に使用される。
【０００７】
各ローラが、回転すると、短いフィルム（長いフィルムでも可）は、常に前段ローラ対、中間ローラ対、及び後段ローラ対のいずれかと接触し、接触したローラの回転によって、移送方向に沿って移送される。このため、第１中間ユニットを使用することで、歯科用以外のＸ線フィルムのように長いフィルムの現像を考慮した現像機であっても、歯科口腔内用Ｘ線フィルムのように短いフィルムの現像を行うことが可能になる。なお、第１中間ユニットを使用した状態で、歯科用以外のＸ線フィルムのように長いフィルムの現像を行うことも可能である。
【０００８】
また、第１中間ユニットに含まれるローラの回転は、前段ローラ対などの回転力に基づいて行われるため、中間ローラ対の回転のために別途駆動源を用意する必要はない。このため、第１中間ユニットを有さない現像機に、駆動源を持たないローラなどで構成された第１中間ユニットを取り付けるだけで、簡単に短いフィルムの現像を行える現像機に改良することが可能になる。
【０００９】
好ましくは、軸間距離よりも長いフィルムについて、フィルム処理を行う場合に、第１中間ユニットが取り外され、前段ローラ対、後段ローラ対の回転力の伝達を行わないで、前段ローラ対から移送されたフィルムを後段ローラ対に誘導するガイド部を有する第２中間ユニットが使用されることを特徴とする請求項１に記載の現像機。
【００１０】
また、第１中間ユニットを第２中間ユニットに取り替えることにより、長いフィルムの現像に適した現像機を提供することが可能になる。なお、長いフィルムの場合、前段ローラ対と後段ローラ対との間で、自重によるたわみで、フィルムがフィルム移送通路Ｔｒから外れて処理室内に落下する恐れがあるが、第２中間ユニットによって、フィルムがフィルム移送通路に沿って移送されるように誘導されるため、かかる落下の問題は生じにくい。
【００１１】
また、好ましくは、第１中間ユニットは、第１ローラと接触回転する第１動力伝達ローラと、第３ローラと接触回転する第２動力伝達ローラとを有し、前記前段ローラ対、前記後段ローラ対の回転力は、第１、第２動力伝達ローラを介して、１組以上の中間ローラ対に伝達される。
【００１２】
前段ローラ対からの動力伝達は、第１動力伝達ローラを介して行われ、後段ローラ対からの動力伝達は、第２動力伝達ローラを介して行われるため、ギアなどの複雑な機構を第１、第３ローラと組み合わせる必要がなく、ローラ間を接触させるだけで、簡単に第１中間ユニットを取り付けることが可能になる。
【００１３】
さらに好ましくは、第１、第２動力伝達ローラの回転軸は、１組以上の中間ローラ対の回転軸よりも上方に配置される。
【００１４】
第１動力伝達ローラが第１ローラに接触し、第２動力伝達ローラが第２ローラに接触し、中間ローラ対を構成する中間ローラの接触部がフィルム移送通路上にあるように、第１中間ユニットを上から置くことで、簡単に第１中間ユニットを取り付けることが可能になる。
【００１５】
本発明に係る現像機のフィルム移送装置は、互いに接触回転する第１、第２ローラを有する前段ローラ対と、互いに接触回転する第３、第４ローラを有する後段ローラ対との間に設けられ、前段ローラ対、及び後段ローラ対の回転力に基づいて回転し、互いに接触回転する２つの中間ローラにより構成される中間ローラ対を１組以上備え、前段ローラ対、及び後段ローラ対から着脱可能であり、前段ローラ対と後段ローラ対との軸間距離よりも短いフィルムについて、現像、定着、水洗の少なくとも１を含むフィルム処理を行う場合に、前段ローラ対、及び後段ローラ対に取り付けられ、前段ローラ対から後段ローラ対へのフィルムの移送に使用される。
【００１６】
各ローラが、回転すると、短いフィルム（長いフィルムでも可）は、常に前段ローラ対、中間ローラ対、及び後段ローラ対のいずれかと接触し、接触したローラの回転によって、移送方向に沿って移送される。このため、該フィルム移送装置を使用することで、歯科用以外のＸ線フィルムのように長いフィルムの現像を考慮した現像機であっても、歯科口腔内用Ｘ線フィルムのように短いフィルムの現像を行うことが可能になる。なお、該フィルム移送装置を使用した状態で、歯科用以外のＸ線フィルムのように長いフィルムの現像を行うことも可能である。
【００１７】
また、フィルム移送装置に含まれるローラの回転は、前段ローラ対などの回転力に基づいて行われるため、中間ローラ対の回転のために別途駆動源を用意する必要はない。このため、該フィルム移送装置を有さない現像機に、駆動源を持たないローラなどで構成された該フィルム移送装置を取り付けるだけで、簡単に短いフィルムの現像を行える現像機に改良することが可能になる。
【発明の効果】
【００１８】
以上のように本発明によれば、長さの異なるフィルムについて、現像などのフィルム処理が可能な現像機または、フィルム移送装置を提供することができる。
【図面の簡単な説明】
【００１９】
【図１】第１中間ユニットを取り付けた場合の現像機の断面図である。
【図２】第２中間ユニットを取り付けた場合の現像機の断面図である。
【発明を実施するための形態】
【００２０】
以下、本実施形態における現像機の構成について、図を用いて説明する。本実施形態に係る現像機は、第１ケース１０、及び第２ケース５０を備える（図１参照）。
【００２１】
第１ケース１０は、フィルムの移送方向から見て前後に複数設けられた隔壁２１、下部に設けられた底壁２２とパイプ取付具２５、側面に設けられた側壁２４と、図示しない蓋部とで外形が構成された暗箱である。隔壁２１を介して３つに分割された空間内は、かかる３つの空間内に設けられた処理液を収容する処理室（現像処理室３１、定着処理室３３、及び水洗処理室３５）に外部から遮光し、各処理室から漏れ出た液（現像液、定着液、及び水洗液）を受け止める。
【００２２】
各空間内には、第１中間ユニット１と第２中間ユニット２のいずれか一方、第１〜第４ローラ１１〜１４、底部１５が設けられる。フィルムの移送方向から見て前部が第１、第２ローラ１１、１２によって、後部が第３、第４ローラ１３、１４によって、側部が側壁２４によって、下部が底部１５によって、各処理室（現像処理室３１、定着処理室３３、及び水洗処理室３５）が形成される。
【００２３】
第１、第２ローラ１１、１２は、上下で互いに接触回転するように配置され、前段ローラ対を構成する。第３、第４ローラ１３、１４は、第１、第２ローラ１１、１２よりもフィルムの移送方向の後段に設けられ、上下で互いに接触回転するように配置され、後段ローラ対を構成する。第１、第２ローラ１１、１２の接触部と、第３、第４ローラ１３、１４の接触部とを結ぶ線（図１、図２の一点鎖線参照）は、フィルムが移送される通路（フィルム移送通路Ｔｒ）を示す。
【００２４】
前段ローラ対と後段ローラ対との軸間距離Ｌ１が、本実施形態における現像機に使用されるフィルムのうち短い方のフィルム（例えば、歯科口腔内用Ｘ線フィルム）より長く、且つ本現像機に使用されるフィルムのうち長い方のフィルム（例えば、歯科用以外のＸ線フィルム）より短くなり、また、後段ローラ対と隣接する処理室における前段ローラ対との軸間距離Ｌ２が、本現像機に使用されるフィルムのうち短い方のフィルムより短くなるように、第１〜第４ローラ１１〜１４の位置や大きさが決定される。
【００２５】
また、フィルムを一定の送り速度で移送させるため、第１、第２ローラ１１、１２の外周面の周速度と、第３、第４ローラ１３、１４の外周面の周速度とが同じになるように、第１〜第４ローラ１１〜１４の大きさ、前段ローラ対の駆動源（不図示）の回転数や、及び後段ローラ対の駆動源（不図示）の回転数が決定される。
【００２６】
底部１５は、液漏れ防止用ブレード（不図示）を介して、第２、第４ローラ１２、１４と接触する。側壁２４の一方の所定の高さの位置には、処理液供給口２４ａが設けられ、対向する他方の所定の高さの位置には、溢流口（不図示）が設けられる（図２参照）。なお、図１では、第１中間ユニット１の背面に隠れる部分が多いため、処理液供給口２４ａは省略している。各容器（現像液容器５１、定着液容器５３、水洗液容器５５）に収容された処理液は、ポンプＰ、及び供給用パイプ５８を介して、処理液供給口２４ａから各処理室５１、５３、５５に供給される。各処理室内の処理液量が一定量を超えると、溢流口から処理室の外部に溢れ出る。溢流口から溢れ出た処理液、及び処理室から漏れ出た処理液は、パイプ取付具２５に取り付けられた排出用パイプ５７を介して、各容器５１、５３、５５に戻される。
【００２７】
次に、第１中間ユニット１の構成について説明する。第１中間ユニット１は、第１、第２中間ローラ１ａ、１ｂ、第１、第２動力伝達ローラ１ｃ、１ｄ、ベルト１ｅ、及び第１、第２テンショナ１ｆ、１ｇを有し、前段ローラ対（第１、第２ローラ１１、１２）と後段ローラ対（第３、第４ローラ１３、１４）との間に、着脱可能な状態で配置され、前段ローラ対から後段ローラ対へのフィルムの移送に使用されるフィルム移送装置である（図１参照）。
【００２８】
第１、第２中間ローラ１ａ、１ｂは、上下で互いに接触回転するように配置され、中間ローラ対を構成する。第１、第２中間ローラ１ａ、１ｂは、前段ローラ対や後段ローラ対の回転力に基づいて回転せしめられる。第１動力伝達ローラ１ｃは、第１ローラ１１と第１中間ローラ１ａとの間で且つこれらと接触回転するように配置され、第２動力伝達ローラ１ｄは、第１中間ローラ１ａと第３ローラ１３との間で且つこれらと接触回転するように配置される。このため、第１、第３ローラ１１、１３の回転力は、第１、第２動力伝達ローラ１ｃ、１ｄを介して、中間ローラ対（第１、第２中間ローラ１ａ、１ｂ）に伝達される。但し、第１、第２動力伝達ローラ１ｃ、１ｄに代えて、ギアなど他の動力伝達手段を介して、第１、第３ローラ１１、１３の回転を第１中間ローラ１ａに伝達する形態であってもよい。
【００２９】
第１、第２中間ローラ１ａ、１ｂの接触部が、フィルム移送通路Ｔｒ上にあり、前段ローラ対と中間ローラ対との軸間距離Ｌ３、及び中間ローラ対と後段ローラ対との軸間距離Ｌ４が、本実施形態における現像機で使用されるフィルムのうち短い方のフィルムより短くなるように、第１、第２中間ローラ１ａ、１ｂ、及び第１、第２動力伝達ローラ１ｃ、１ｄの位置や大きさが決定される。
【００３０】
第１、第２動力伝達ローラ１ｃ、１ｄの回転軸は、中間ローラ対（第１、第２中間ローラ１ａ、１ｂ）の回転軸よりも上方に配置される。このため、第１動力伝達ローラ１ｃが第１ローラ１１に接触し、第２動力伝達ローラ１ｄが第２ローラ１３に接触し、第１、第２中間ローラ１ａ、１ｂの接触部がフィルム移送通路Ｔｒ上にあるように、第１中間ユニット１を上から置くことで、簡単に第１中間ユニット１を各処理室に取り付けることが可能になる。
【００３１】
また、前段ローラ対からの動力伝達は、第１動力伝達ローラ１ｃを介して行われ、後段ローラ対からの動力伝達は、第２動力伝達ローラ１ｄを介して行われるため、ギアなどの複雑な機構を第１、第３ローラ１１、１３と組み合わせる必要がなく、ローラ間を接触させるだけで、簡単に第１中間ユニット１を各処理室に取り付けることが可能になる。
【００３２】
ベルト１ｅ、及び第１、第２テンショナ１ｆ、１ｇは、第１中間ユニット１の両側部に設けられ、第１、第２中間ローラ１ａ、１ｂ、及び第１、第２動力伝達ローラ１ｃ、１ｄが一定形状で接触した状態を保つために使用される。ベルト１ｅは、第１、第２中間ローラ１ａ、１ｂ、及び第１、第２動力伝達ローラ１ｃ、１ｄの回転軸を囲むように架け渡される。第１、第２テンショナ１ｆ、１ｇは、ベルト１ｅに張力を付与する。
【００３３】
次に、第２中間ユニット２の構成について説明する。第２中間ユニット２は、フィルム移送通路Ｔｒ上で、且つ前段ローラ対と後段ローラ対との間に、取り外し可能な状態で配置されたガイドレール（ガイド部）であり、前段ローラ対から移送された長いフィルムを、後段ローラ対に誘導する（図２参照）。第２中間ユニット２は、第１、第３ローラ１１、１３の回転力の伝達を行わないが、長いフィルムは、常に前段ローラ対、後段ローラ対の少なくとも一方と接触しているため、移送は可能である。
【００３４】
次に、フィルム移送時の各ローラの動きについて説明する。駆動源によって、第１、第２ローラ１１、１２の少なくとも一方が回転せしめられると、ローラの接触、または、第１、第２ローラ１１、１２の回転軸に設けられたギアなどの動力伝達手段（不図示）による動力伝達を介して、第１、第２ローラ１１、１２の他方も回転せしめられる。また、駆動源によって、第３、第４ローラ１３、１４の少なくとも一方が回転せしめられると、ローラの接触、または、第３、第４ローラ１３、１４の回転軸に設けられたギアなどの動力伝達手段（不図示）による動力伝達を介して、第３、第４ローラ１３、１４の他方も回転せしめられる。
【００３５】
短いフィルムのフィルム処理（現像処理室３１における現像処理、定着処理室３３において定着処理、水洗処理室３５において水洗処理）が行われる場合には、第１中間ユニット１が各処理室に取り付けられる。第１ローラ１１が回転せしめられると、隣接する第１動力伝達ローラ１ｃが、ローラの接触による動力伝達を介して、回転せしめられる。また、第３ローラ１３が回転せしめられると、隣接する第２動力伝達ローラ１ｄが、ローラの接触による動力伝達を介して、回転せしめられる。
【００３６】
第１、第２動力伝達ローラ１ｃ、１ｄが回転せしめられると、隣接する第１中間ローラ１ａが、ローラの接触、または、ベルト１ｅによる動力伝達によって、回転せしめられる。第１中間ローラ１ａが回転せしめられると、隣接する第２中間ローラ１ｂが、ローラの接触、または、ベルト１ｅによる動力伝達によって、回転せしめられる。
【００３７】
各ローラが、矢印のように回転すると、短いフィルム（長いフィルムでも可）は、常に前段ローラ対（第１、第２ローラ１１、１２）、中間ローラ対（第１、第２中間ローラ１ａ、１ｂ）、及び後段ローラ対（第３、第４ローラ１３、１４）のいずれかと接触し、接触したローラの回転力によって、移送方向に沿って移送される。
【００３８】
長いフィルムのフィルム処理が行われる場合には、第２中間ユニット２が各処理室に取り付けられる。各ローラが、矢印のように回転すると、長いフィルムは、常に第１ローラ１１、及び第３ローラ１３のいずれかと接触し、接触したローラの回転力によって、移送方向に沿って移送される。
【００３９】
なお、長いフィルムの場合、前段ローラ対と後段ローラ対との間で、自重によるたわみで、フィルムがフィルム移送通路Ｔｒから外れて処理室内に落下する恐れがあるが、本実施形態では、第２中間ユニット２によって、フィルムがフィルム移送通路Ｔｒに沿って移送されるように誘導されるため、かかる落下の問題は生じにくい。
【００４０】
以上のように、本実施形態では、第１中間ユニット１を使用することで、歯科用以外のＸ線フィルムのように長いフィルムの現像を考慮した現像機であっても、歯科口腔内用Ｘ線フィルムのように短いフィルムの現像を行うことが可能になる。なお、第１中間ユニット１を使用した状態で、歯科用以外のＸ線フィルムのように長いフィルムの現像を行うことも可能である。また、第１中間ユニット１を第２中間ユニット２に取り替えることにより、長いフィルムの現像に適した現像機を提供することが可能になる。
【００４１】
また、第１中間ユニット１は、第１ローラ１１や第３ローラ１３と接触する状態で、これらに挟まれて取り付けられるため、接触しない形態に比べて、位置決めが簡単に出来る。
【００４２】
また、第１中間ユニット１に含まれるローラの回転は、第１ローラ１１などの回転力に基づいて行われるため、第１、第２中間ローラ１ａ、１ｂの回転のために別途駆動源を用意する必要はない。このため、図２のように、第１中間ユニット１を有さない現像機に、駆動源を持たないローラなどで構成された第１中間ユニット１を取り付けるだけで、簡単に短いフィルムの現像を行える現像機に改良することが可能になる。但し、第１中間ユニット１を取り付けると、取り付ける前に比べて、前段、後段ローラ対を駆動する駆動源の負荷が大きくなるため、第１中間ユニット１が取り付けられた場合には、駆動源の駆動量を調整する制御が行われるのが望ましい。
【００４３】
また、本実施形態では、第１中間ユニット１が、１組の中間ローラ対（第１、第２中間ローラ１ａ、１ｂ）を使って構成される形態を説明したが、前段ローラ対と後段ローラ対との軸間距離Ｌ１が長い場合には、２組以上の中間ローラ対を組み合わせて第１中間ユニット１を構成する形態であってもよい。
【００４４】
また、本実施形態では、３つの処理室（現像処理室３１、定着処理室３３、水洗処理室３５）が設けられる形態を説明したが、これらの処理室の間に、前段の処理室における処理液の混入を防止するために洗浄処理室を設ける形態であってもよい。
【００４５】
また、第１中間ユニット１を構成するローラ（第１、第２中間ローラ１ａ、１ｂ、第１、第２動力伝達ローラ１ｃ、１ｄの軸方向の長さは、第１〜第４ローラ１１〜１４の軸方向の長さと同じであってもよいが、使用するフィルムの軸方向の長さに応じて、これらよりも短いものであってもよい。
【符号の説明】
【００４６】
１  第１中間ユニット
１ａ、１ｂ  第１、第２中間ローラ
１ｃ、１ｄ  第１、第２動力伝達ローラ
１ｅ  ベルト
１ｆ、１ｇ  第１、第２テンショナ
２  第２中間ユニット
１０  第１ケース
１１〜１４  第１〜第４ローラ
１５  底部
２１  隔壁
２２  底壁
２４  側壁
２４ａ  処理液供給口
２５  パイプ取付具
３１  現像処理室
３３  定着処理室
３５  水洗処理室
５０  第２ケース
５１  現像液容器
５３  定着液容器
５５  水洗液容器
Ｐ  ポンプ
５７  排出用パイプ
５８  供給用パイプ
【図１】
2010191347.tif 000003
【図２】
2010191347.tif 000004